(57)【要約】【課題】部品点数を増加させることなく給紙ローラの摩耗および異音の発生を抑制することが可能な給紙カートリッジを提供する。【解決手段】この給紙カートリッジ１は、昇華型プリンタ１０の用紙供給口１０ａに設けられた給紙ローラ１３に当接する位置に用紙２０を押し上げる用紙押上げ部材４を備え、用紙押上げ部材４は、用紙押し上げ方向に回動した際に用紙押上げ部材４と給紙ローラ１３とが当接するのを防止するための切欠き状の逃がし部４ｂを含む。【選択図】図２
2008169000.tif 000002
【特許請求の範囲】
【請求項１】
画像形成装置に供給する用紙を収納するための用紙収納部材を備えた給紙カートリッジにおいて、
前記用紙収納部材の底部に設けられ、前記用紙が載置されるとともに、前記画像形成装置の給紙口に設けられた給紙ローラに当接する位置に前記用紙を押し上げる用紙押上げ部材をさらに備え、
前記用紙押上げ部材は、
用紙押し上げ方向に回動した際に前記用紙押上げ部材と前記給紙ローラとが当接するのを防止するための切欠き状または穴状の逃がし部と、
前記用紙を載置する面の反対側の面に前記用紙をより上部に押し上げるための突起部と、
前記逃がし部とは反対側の端部に設けられ、前記用紙収納部材に回動可能に係合する係合部とを一体的に含み、
前記用紙押上げ部材の前記逃がし部の給紙方向とは反対方向の端部は、平面的に見て、前記画像形成装置の前記給紙ローラの軸線と前記給紙ローラの給紙方向とは反対側の最外周部との間に配置されている、給紙カートリッジ。
【請求項２】
画像形成装置に供給する用紙を収納するための用紙収納部材と、
前記用紙収納部材の底部に設けられ、前記用紙が載置されるとともに、前記画像形成装置の給紙口に設けられた給紙ローラに当接する位置に前記用紙を押し上げる用紙押上げ部材とを備え、
前記用紙押上げ部材は、用紙押し上げ方向に回動した際に前記用紙押上げ部材と前記給紙ローラとが当接するのを防止するための切欠き状または穴状の逃がし部を一体的に含む、給紙カートリッジ。
【請求項３】
前記用紙押上げ部材の前記逃がし部の給紙方向とは反対方向の端部は、平面的に見て、前記画像形成装置の前記給紙ローラの軸線と、前記給紙ローラの給紙方向とは反対側の最外周部との間に配置されている、請求項２に記載の給紙カートリッジ。
【請求項４】
前記用紙押上げ部材は、前記用紙を載置する面の反対側の面に前記用紙をより上部に押し上げるための突起部をさらに一体的に含む、請求項２または３に記載の給紙カートリッジ。
【請求項５】
前記用紙押上げ部材は、前記逃がし部とは反対側の端部に設けられ、前記用紙収納部材に回動可能に係合する係合部をさらに一体的に含む、請求項２〜４のいずれか１項に記載の給紙カートリッジ。
【発明の詳細な説明】
【技術分野】
【０００１】
この発明は、給紙カートリッジに関し、特に、画像形成装置に供給する用紙を収納するための用紙収納部材を備えた給紙カートリッジに関する。
【背景技術】
【０００２】
従来、画像形成装置に供給する用紙を収納するための用紙収納部材を備えた給紙カートリッジが知られている（たとえば、特許文献１〜３参照）。
【０００３】
上記特許文献１には、記録紙（用紙）を載置するとともに、支持部材を軸にして上下に回動する底板（用紙押上げ部材）を備えた給紙カセットが開示されている。この特許文献１に記載の給紙カセット（給紙カートリッジ）では、回動する底板は記録装置本体の給紙ローラと当接するとともに、給紙ローラと当接する所定部分に騒音防止用の摩擦部材が設けられている。
【０００４】
また、上記特許文献２には、装置本体に設けられた給紙ローラに対して下部から圧接している加圧板（用紙押上げ部材）と、加圧板の下部に配置され、加圧板を下部から押し上げるばねとを有する給紙トレイ（給紙カートリッジ）が開示されている。この特許文献２に記載の給紙トレイ（給紙カートリッジ）では、給紙ローラと当接する加圧板の所定部分に摩擦による給紙ローラの摩耗を抑制するためのパッドが設けられている。
【０００５】
また、上記特許文献３には、用紙を載置するトレイ板（用紙押上げ部材）と、トレイ板の下部に配置され、トレイ板を下部から押し上げるためのバネとを有するトレイ（給紙カートリッジ）が開示されている。この特許文献３に記載のトレイ（給紙カートリッジ）では、バネによりトレイ板が上部に押し上げられることによって、給紙ローラとトレイ板とが当接するように構成されている。
【０００６】
【特許文献１】特開２０００−２０３７３４号公報
【特許文献２】特開平９−２４０８６５号公報
【特許文献３】特許第３４４９１４９号公報
【発明の開示】
【発明が解決しようとする課題】
【０００７】
しかしながら、上記特許文献１に記載の給紙カセットでは、給紙ローラと底板との摩擦による騒音を抑制するために、底板の所定部分に別途摩擦部材を設けているので、部品点数が増加するという問題点がある。また、給紙ローラと底板の摩擦部材との摩擦により給紙ローラが摩耗する場合があるという問題点もある。
【０００８】
また、上記特許文献２に記載の給紙トレイでは、給紙ローラと加圧板との摩擦による給紙ローラの摩耗を抑制するために、加圧板の所定部分に別途パッドを設けているので、部品点数が増加するという問題点がある。また、給紙ローラと加圧板との摩擦による異音が発生する場合があるという問題点もある。
【０００９】
また、上記特許文献３に記載のトレイでは、給紙ローラとトレイ板との摩擦によって給紙ローラが摩耗するという問題点がある。また、給紙ローラとトレイ板との摩擦によって異音が発生する場合があるという問題点もある。
【００１０】
この発明は、上記のような課題を解決するためになされたものであり、この発明の１つの目的は、部品点数を増加させることなく給紙ローラの摩耗および異音の発生を抑制することが可能な給紙カートリッジを提供することである。
【課題を解決するための手段および発明の効果】
【００１１】
この発明の第１の局面による給紙カートリッジは、画像形成装置に供給する用紙を収納するための用紙収納部材を備えた給紙カートリッジにおいて、用紙収納部材の底部に設けられ、用紙が載置されるとともに、画像形成装置の給紙口に設けられた給紙ローラに当接する位置に用紙を押し上げる用紙押上げ部材をさらに備え、用紙押上げ部材は、用紙押し上げ方向に回動した際に用紙押上げ部材と給紙ローラとが当接するのを防止するための切欠き状または穴状の逃がし部と、用紙を載置する面の反対側の面に用紙をより上部に押し上げるための突起部と、逃がし部とは反対側の端部に設けられ、用紙収納部材に回動可能に係合する係合部とを一体的に含み、用紙押上げ部材の逃がし部の給紙方向とは反対方向の端部は、平面的に見て、画像形成装置の給紙ローラの軸線と給紙ローラの給紙方向とは反対側の最外周部との間に配置されている。
【００１２】
この第１の局面による給紙カートリッジでは、上記のように、画像形成装置の給紙口に設けられた給紙ローラに当接する位置に用紙を押し上げる用紙押上げ部材を備えるとともに、用紙押上げ部材を、用紙押し上げ方向に回動した際に用紙押上げ部材と給紙ローラとが当接するのを防止するための切欠き状または穴状の逃がし部を一体的に含むように構成することによって、逃がし部により、用紙押上げ部材と給紙ローラとが当接することを防止することができるので、別途給紙ローラの摩耗を抑制するための部材を設けることなく、用紙押上げ部材と給紙ローラとの摩擦による給紙ローラの摩耗を抑制することができる。これにより、部品点数を増加させることなく、給紙ローラの摩耗を抑制することができる。また、用紙押上げ部材に一体的に設けられた逃がし部により、用紙押上げ部材と給紙ローラとの摩擦による異音の発生を抑制することができるので、部品点数を増加させることなく、給紙ローラの異音の発生を抑制することができる。
【００１３】
また、第１の局面による給紙カートリッジでは、用紙押上げ部材の逃がし部の給紙方向とは反対方向の端部を、平面的に見て、画像形成装置の給紙ローラの軸線と給紙ローラの給紙方向とは反対側の最外周部との間に配置することによって、給紙ローラと当接する部分のみに必要最小限の大きさの逃がし部が設けられるので、逃がし部を設けたために用紙を支持する面積が減少したことに起因して用紙を押し上げる力が弱くなるという不都合が発生することを抑制することができる。したがって、確実に用紙を給紙ローラに当接させることができる。また、用紙押上げ部材は、用紙を載置する面の反対側の面に用紙をより上部に押し上げるための突起部をさらに一体的に含むことによって、突起部の突出長さ分だけさらに用紙を上部に押し上げることができるので、さらに確実に用紙を給紙ローラに当接させることができる。また、突起部を用紙収納部材に一体的に設けることによって、部品点数の増加を抑制することができる。また、用紙押上げ部材は、逃がし部とは反対側の端部に設けられ、用紙収納部材に回動可能に係合する係合部をさらに一体的に含むことによって、係合部を設けたとしても部品点数が増加するのを抑制することができる。
【００１４】
この発明の第２の局面による給紙カートリッジは、画像形成装置に供給する用紙を収納するための用紙収納部材と、用紙収納部材の底部に設けられ、用紙が載置されるとともに、画像形成装置の給紙口に設けられた給紙ローラに当接する位置に用紙を押し上げる用紙押上げ部材とを備え、用紙押上げ部材は、用紙押し上げ方向に回動した際に用紙押上げ部材と給紙ローラとが当接するのを防止するための切欠き状または穴状の逃がし部を一体的に含む。
【００１５】
この第２の局面による給紙カートリッジでは、上記のように、画像形成装置の給紙口に設けられた給紙ローラに当接する位置に用紙を押し上げる用紙押上げ部材を備えるとともに、用紙押上げ部材を、用紙押し上げ方向に回動した際に用紙押上げ部材と給紙ローラとが当接するのを防止するための切欠き状または穴状の逃がし部を一体的に含むように構成することによって、逃がし部により、用紙押上げ部材と給紙ローラとが当接することを防止することができるので、別途給紙ローラの摩耗を抑制するための部材を設けることなく、用紙押上げ部材と給紙ローラとの摩擦による給紙ローラの摩耗を抑制することができる。これにより、部品点数を増加させることなく、給紙ローラの摩耗を抑制することができる。また、用紙押上げ部材に一体的に設けられた逃がし部により、用紙押上げ部材と給紙ローラとの摩擦による異音の発生を抑制することができるので、部品点数を増加させることなく、給紙ローラの異音の発生を抑制することができる。
【００１６】
上記第２の局面による給紙カートリッジにおいては、好ましくは、用紙押上げ部材の逃がし部の給紙方向とは反対方向の端部を、平面的に見て、画像形成装置の給紙ローラの軸線と給紙ローラの給紙方向とは反対側の最外周部との間に配置する。このように構成すれば、給紙ローラと当接する部分のみに必要最小限の大きさの逃がし部が設けられるので、逃がし部を設けたために用紙を支持する面積が減少したことに起因して用紙を押し上げる力が弱くなるという不都合が発生することを抑制することができる。したがって、確実に用紙を給紙ローラに当接させることができる。
【００１７】
上記第２の局面による給紙カートリッジにおいては、好ましくは、用紙押上げ部材は、用紙を載置する面の反対側の面に用紙をより上部に押し上げるための突起部をさらに一体的に含む。このように構成すれば、突起部の突出長さ分だけさらに用紙を上部に押し上げることができるので、さらに確実に用紙を給紙ローラに当接させることができる。また、突起部を用紙収納部材に一体的に設けることによって、部品点数の増加を抑制することができる。
【００１８】
上記第２の局面による給紙カートリッジにおいては、好ましくは、用紙押上げ部材は、逃がし部とは反対側の端部に設けられ、用紙収納部材に回動可能に係合する係合部をさらに一体的に含む、このように構成すれば、係合部を設けたとしても部品点数が増加するのを抑制することができる。
【発明を実施するための最良の形態】
【００１９】
以下、本発明を具体化した実施形態を図面に基づいて説明する。
【００２０】
（第１実施形態）
図１は、本発明の第１実施形態による給紙カートリッジを昇華型プリンタに取り付けた状態の全体構造を示した斜視図である。図２は、図１に示した本発明の第１実施形態による給紙カートリッジを昇華型プリンタから取り外した状態の全体構造を示した斜視図である。また、図３〜図１１は、図１に示した本発明の第１実施形態による給紙カートリッジの構造の詳細を示した図である。まず、図１〜図１１を参照して、本発明の第１実施形態による給紙カートリッジ１の構造について説明する。なお、第１実施形態では、画像形成装置の一例である昇華型プリンタ１０に装着される給紙カートリッジ１に本発明を適用した場合について説明する。
【００２１】
第１実施形態による給紙カートリッジ１は、図１および図２に示すように、昇華型プリンタ１０に対して着脱可能に装着することが可能なように構成されている。また、図２に示すように、昇華型プリンタ１０は、給紙カートリッジ１に収納された用紙２０（図１参照）を供給する用紙供給口１０ａが設けられているとともに、昇華型プリンタ１０に供給される用紙２０を１枚ずつ分離する用紙分離部材１１と、後述する用紙押上げ部材４を押上げる押上げレバー１２と、用紙２０を昇華型プリンタ１０の内部に搬送するための給紙ローラ１３と、印刷された用紙２０を外部に排紙する２つの排紙ローラ１４とによって構成されている。また、図３〜図５に示すように、給紙カートリッジ１は、用紙収納部材２と、開閉可能な蓋部材３と、用紙押上げ部材４とによって構成されている。ここで、用紙押上げ部材４は、押上げレバー１２により上方に押し上げられることによって用紙２０を昇華型プリンタ１の給紙ローラ１３に当接させるように構成されている。
【００２２】
また、図５および図６に示すように、用紙収納部材２は、昇華型プリンタ１０に供給される用紙２０（図１参照）を収納するために設けられており、底面と、底面に対して垂直方向に延びる側面とから構成されている。また、用紙収納部材２の底面は、用紙２０（図１参照）を載置する用紙載置部２ａと、昇華型プリンタ１０の用紙分離部材１１（図２参照）に嵌め込まれる凹部２ｂと、後述する用紙押上げ部材４の係合部４ａと係合する取付穴部２ｃと、切欠き部２ｄとによって構成されている。ここで、切欠き部２ｄは、上述した昇華型プリンタ１０の押上げレバー１２（図２参照）が用紙収納部材２の底面に当接しないようにするために設けられている。すなわち、昇華型プリンタ１０の押上げレバー１２は、図６に示すように、切欠き部２ｄの下部に位置するとともに、切欠き部２ｄを通過して用紙押上げ部材４を押上げるように構成されている。
【００２３】
また、図５および図６に示すように、用紙収納部材２の矢印Ｘ方向の一方端部には、用紙供給口１０ａ（図１参照）内に挿入されるプリンタ挿入部２ｅが形成されている。また、このプリンタ挿入部２ｅに対応する部分において矢印Ｙ方向側に位置する両側側面には、それぞれ、外側に突出する係合片２ｆが設けられている。そして、係合片２ｆが昇華型プリンタ１０に設けられた係合部（図示せず）と係合するとともに、底面の凹部２ｂと昇華型プリンタ１０の用紙分離部材１１（図２参照）とが嵌合することによって、用紙供給口１０ａに給紙カートリッジ１が取り付けられるように構成されている。
【００２４】
また、図５および図６に示すように、用紙収納部材２の矢印Ｙ方向側に位置する両側の側面には、それぞれ、蓋部材３用の取付部２ｇが設けられている。この蓋部材３用の取付部２ｇは、用紙収納部材２の矢印Ｙ方向側に位置する側面の外面と対向するとともに、側面に対して所定の間隔を隔てて配置されている。また、蓋部材３用の取付部２ｇは、連結部２ｈによって、用紙収納部材２に連結されている。また、２つの取付部２ｇの外側面の一方端部は、ユーザが把持してスライドすることが可能なように凹凸形状に形成されている。また、２つの取付部２ｇの内側面の他方端部には、後述する蓋部材３の長穴部３ａと係合する軸部２ｉが設けられている。また、用紙収納部材２の矢印Ｙ方向側に位置する一方の側面には、用紙付勢部２ｊが設けられており、用紙付勢部２ｊの取付部２ｇに対向する側には突起片２ｋが設けられている。この突起片２ｋが後述する蓋部材３の押圧部３ｃによって押圧されることにより、用紙付勢部２ｊは、用紙載置部２ａに載置された用紙２０を、用紙載置部２ａの矢印Ｙ方向に位置する他方の側面部に付勢することが可能なように構成されている。したがって、用紙付勢部２ｊにより用紙載置部２ａに載置された用紙２０が付勢されることによって、用紙２０が用紙載置部２ａの矢印Ｙ方向にずれるのが抑制される。
【００２５】
また、図５に示すように、蓋部材３は、用紙収納部材２の内部に埃などが侵入するのを抑制するために設けられている。この蓋部材３は、矢印Ｙ方向に位置する両端部において、それぞれ、用紙収納部材２の底面に対して垂直な側面を有する。また、この蓋部材３の両側の側面の一方端部には、それぞれ、上述した用紙収納部材２の軸部２ｉと係合する長穴部３ａが形成されている。また、蓋部材３の両側の側面の他方端部には、それぞれ、給紙カートリッジ１が閉じた状態のときに用紙収納部材２の係合片２ｆと係合する穴部３ｂが形成されている。また、蓋部材３の側面において、用紙付勢部２ｊの突起片２ｋと対向する側の側面には、用紙付勢部２ｊの突起片２ｋを押圧するための押圧部３ｃが設けられている。ここで、蓋部材３の長穴部３ａと用紙収納部材２の軸部２ｉ（図６参照）とは矢印Ｘ方向にスライド可能に嵌合されており、蓋部材３をスライドした状態（図３参照）において、図４に示すように、矢印Ａ方向に開閉可能なように構成されている。
【００２６】
ここで、第１実施形態では、図５〜図８に示すように、用紙押上げ部材４には、後述する逃がし部４ｂとは反対側の端部に、用紙収納部材２の取付穴部２ｃに回動可能に係合する係合部４ａが一体的に形成されている。
【００２７】
また、第１実施形態では、図７、図８および図９に示すように、用紙押上げ部材４には、用紙押上げ部材４が係合部４ａを中心にして用紙押し上げ方向（図９の矢印Ｃ方向）に回動した際に、用紙押上げ部材４と給紙ローラ１３とが当接するのを防止するための切欠き状の逃がし部４ｂが形成されている。具体的には、逃がし部４ｂは、図１０に示すように、用紙押上げ部材４と給紙ローラ１３とが当接する位置に形成されていることにより、用紙押上げ部材４が給紙ローラ１３に当接されないように構成されている。
【００２８】
また、第１実施形態では、図１１に示すように、用紙押上げ部材４の逃がし部４ｂは、平面的に見て、逃がし部４ｂにおける給紙ローラ１３の給紙方向（矢印Ｄ方向）とは反対方向の端部４ｃが、給紙ローラ１３の軸線１００と給紙ローラ１３の給紙方向（矢印Ｄ方向）とは反対側の最外周部１３ａとの間に配置されるように形成されている。すなわち、逃がし部４ｂは、給紙ローラ１３と用紙押上げ部材４とが当接する必要最小限の部分にのみ形成されている。
【００２９】
また、第１実施形態では、図５および図８に示すように、用紙押上げ部材４には、用紙収納部材２の用紙載置部２ａに対向する面に用紙２０（図１参照）をより上部に押し上げるための突起部４ｄが一体的に形成されている。この突起部４ｄは、図６および図９に示すように、昇華型プリンタ１０の押上げレバー１２に当接する位置に形成されている。
【００３０】
また、図６に示すように、用紙押上げ部材４には、給紙カートリッジ１を昇華型プリンタ１０に装着させる際に、昇華型プリンタ１０の用紙分離部材１１と用紙押上げ部材４とが当接されるのを防止するために、用紙収納部材２の凹部２ｂに対応するように切欠き部４ｅが形成されている。
【００３１】
図１２は、本発明の第１実施形態による給紙カートリッジに載置された用紙を昇華型プリンタに給紙する動作を説明するための断面図である。次に、図２、図９、図１０および図１２を参照して、本発明の第１実施形態による昇華型プリンタ１０に対する給紙動作について説明する。
【００３２】
まず、図２に示すように、給紙カートリッジ１の蓋部材３をスライドさせた状態にすることによって、用紙給紙口１０ａに対応する領域（プリンタ挿入口２ｅ）が露出されるとともに、用紙収納部材２の係合片２ｆと蓋部材３の穴部３ｂとの係合が解除される。そして、給紙カートリッジ１における用紙収納部材２の係合片２ｆが昇華型プリンタ１０に設けられた係合部（図示せず）と係合するとともに、昇華型プリンタ１０の用紙分離部材１１と用紙収納部材２の凹部２ｂとが嵌合されることによって給紙カートリッジ１が用紙給紙口１０ａに装着される。
【００３３】
そして、印刷動作が開始されると、図１２に示すように、押上げレバー１２が昇華型プリンタ１０の内部のギア（図示せず）に連動して矢印Ｂ方向に回動する。そして、押上げレバー１２の一方端部が用紙押上げ部材４の突起部４ｄを押し上げることにより、押上げレバー１２に押し上げられた用紙押上げ部材４は係合部４ａを中心にして矢印Ｃ方向に回動する。そして、用紙押上げ部材４に載置された用紙２０が給紙ローラ１３に当接することによって押上げレバー１２および用紙押上げ部材４の回動が停止する。そして、給紙ローラ１３と用紙２０とが当接した状態で給紙ローラ１３を回転させることにより、用紙２０は用紙分離材１１によって１枚ずつ分離された後に昇華型プリンタ１０に供給される。
【００３４】
また、図９に示すように、給紙カートリッジ１に用紙２０が収納されていない場合には、用紙押上げ部材４が給紙ローラ１３と当接する位置にまで押し上げられる。このとき、図１０に示すように、用紙押上げ部材４は、給紙ローラ１３と当接する部分に形成された逃がし部４ｂによって給紙ローラ１３とは当接しない。
【００３５】
第１実施形態では、上記のように、昇華型プリンタ１０の用紙供給口１０ａに設けられた給紙ローラ１３に当接する位置に用紙２０を押し上げる用紙押上げ部材４を備えるとともに、用紙押上げ部材４を、用紙押し上げ方向（図９の矢印Ｃ方向）に回動した際に用紙押上げ部材４と給紙ローラ１３とが当接するのを防止するための切欠き状の逃がし部４ｂを一体的に含むように構成することによって、逃がし部４ｂにより、用紙押上げ部材４と給紙ローラ１３とが当接することを防止することができるので、別途給紙ローラ１３の摩耗を抑制するための部材を設けることなく、用紙押上げ部材４と給紙ローラ１３との摩擦による給紙ローラ１３の摩耗を抑制することができる。これにより、部品点数を増加させることなく、給紙ローラ１３の摩耗を抑制することができる。また、用紙押上げ部材４に一体的に設けられた逃がし部４ｂにより、用紙押上げ部材４と給紙ローラ１３との摩擦による異音の発生を抑制することができるので、部品点数を増加させることなく、給紙ローラ１３の異音の発生を抑制することができる。
【００３６】
また、第１実施形態では、用紙押上げ部材４の逃がし部４ｂの給紙方向とは反対方向の端部を、平面的に見て（図１１参照）、昇華型プリンタ１０の給紙ローラ１３の軸線と給紙ローラ１３の給紙方向（図１１の矢印Ｄ）とは反対側の最外周部との間に配置することによって、用紙押上げ部材４の給紙ローラ１３と当接する部分のみに必要最小限の大きさの逃がし部４ｂが設けられるので、用紙２０を押し上げる力が弱くなるという不都合が発生することを抑制することができる。したがって、確実に用紙２０を給紙ローラ１３に当接させることができる。
【００３７】
また、第１実施形態では、用紙押上げ部材４は、用紙２０を載置する面の反対側の面に用紙２０をより上部に押し上げるための突起部４ｄをさらに一体的に含むことによって、突起部４ｄの突出長さ分だけさらに用紙２０を上部に押し上げることができるので、さらに確実に用紙２０を給紙ローラ１３に当接させることができる。また、突起部４ｄを用紙押上げ部材４に一体的に設けることによって、部品点数の増加を抑制することができる。
【００３８】
また、第１実施形態では、用紙押上げ部材４は、逃がし部４ｂとは反対側の端部に設けられ、用紙収納部材２に回動可能に係合する係合部４ａをさらに一体的に含むことによって、係合部４ａを設けたとしてもさらに部品点数が増加するのを抑制することができる。
【００３９】
（第２実施形態）
図１３は、本発明の第２実施形態による給紙カートリッジの用紙押上げ部材と昇華型プリンタの給紙ローラとが当接する部分について説明するための平面図である。また、図１４は、本発明の第２実施形態による給紙カートリッジの用紙押上げ部材と昇華型プリンタの給紙ローラとが当接する部分について説明するための拡大断面図である。次に、図１３および図１４を参照して、本発明の第２実施形態による給紙カートリッジの構造について説明する。なお、この第２実施形態における給紙動作は上記第１実施形態と同様であるのでその説明を省略する。また、第２実施形態の用紙押上げ部材４０以外の構造は上記第１実施形態と同様である。
【００４０】
第２実施形態における給紙カートリッジに取り付けられる用紙押上げ部材４０には、図１３に示すように、用紙収納部材２の取付穴部２ｃに回動可能に係合する係合部４０ａが一体的に形成されている。
【００４１】
ここで、第２実施形態では、上記第１実施形態とは異なり、図１３および図１４に示すように、用紙押上げ部材４０には、用紙押上げ部材４０と給紙ローラ１３とが当接するのを防止するための穴状の逃がし部４０ｂが形成されている。
【００４２】
また、図１３に示すように、用紙押上げ部材４０の逃がし部４０ｂは、平面的に見て、逃がし部４０ｂにおける給紙方向（矢印Ｄ方向）側の端部４０ｃが給紙ローラ１３の軸線１００と給紙ローラ１３の給紙方向（矢印Ｄ方向）側の最外周部１３ｂとの間に配置されるように形成されているとともに、逃がし部４０ｂにおける給紙方向（矢印Ｄ方向）側とは反対方向の端部４０ｄが給紙ローラ１３の軸線１００と給紙ローラ１３の給紙方向（矢印Ｄ方向）とは反対側の最外周部１３ａとの間に配置されるように形成されている。
【００４３】
また、図１３に示すように、用紙押上げ部材４０には、給紙カートリッジ１を昇華型プリンタ１０に装着させる際に、昇華型プリンタ１０の用紙分離部材１１と用紙押上げ部材４０とが当接されるのを防止するために、用紙収納部材２の凹部２ｂに対応するように切欠き部４０ｅが形成されている。また、図１４に示すように、用紙押上げ部材４０には、給紙ローラ１３に対向する面とは反対側の面に用紙２０（図１参照）をより上部に押し上げるための突起部４０ｆが一体的に形成されている。この突起部４０ｆは、昇華型プリンタ１０の押上げレバー１２に当接する位置に形成されている。
【００４４】
第２実施形態では、上記のように、用紙押上げ部材４０に、用紙押上げ部材４０と給紙ローラ１３とが当接するのを防止するための穴状の逃がし部４０ｂを一体的に含むように構成することによって、穴状の逃がし部４０ｂにより、用紙押上げ部材４０と給紙ローラ１３とが当接することを防止することができるので、別途給紙ローラ１３の摩耗を抑制するための部材を設けることなく、用紙押上げ部材４０と給紙ローラ１３との摩擦による給紙ローラ１３の摩耗を抑制することができる。これにより、部品点数を増加させることなく、給紙ローラ１３の摩耗を抑制することができる。また、この第２実施形態による穴状の逃がし部４０ｂは、上記した第１実施形態による切欠き状の逃がし部４ｂに比べて用紙２０を押し上げる面積（用紙２０との接触面積）が大きくなるので、第１実施形態に比べて、用紙２０を押し上げる力が弱くなるのをより抑制することができる。したがって、より確実に用紙２０を給紙ローラ１３に当接させることができる。また、用紙押上げ部材４０に一体的に設けられた穴状の逃がし部４０ｂにより、用紙押上げ部材４０と給紙ローラ１３との摩擦による異音の発生を抑制することができるので、部品点数を増加させることなく、給紙ローラ１３の異音の発生を抑制することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記第１および第２実施形態では、画像形成装置の一例としての昇華型プリンタに装着される給紙カートリッジに本発明を適用する例を示したが、本発明はこれに限らず、昇華型プリンタ以外の他の画像形成装置に装着される給紙カートリッジについても適用可能である。
【００４７】
また、上記第１および第２実施形態では、用紙押上げ部材に、突起部および係合部を一体的に設ける例を示したが、本発明はこれに限らず、突起部および係合部をそれぞれ用紙押上げ部材とは別個に設けてもよい。
【００４８】
また、上記第１および第２実施形態では、用紙押上げ部材の逃がし部を昇華型プリンタの給紙ローラと当接する部分にのみ形成する例を示したが、本発明はこれに限らず、平面的に見て、逃がし部を給紙ローラよりも大きくなるように形成してもよい。
【図面の簡単な説明】
【００４９】
【図１】本発明の第１実施形態による給紙カートリッジを昇華型プリンタに取り付けた状態の全体構造を示した斜視図である。
【図２】本発明の第１実施形態による給紙カートリッジを昇華型プリンタから取り外した状態の全体構造を示した斜視図である。
【図３】本発明の第１実施形態による給紙カートリッジの蓋部材がスライドした状態を示す斜視図である。
【図４】本発明の第１実施形態による給紙カートリッジの蓋部材が開いた状態を示す斜視図である。
【図５】本発明の第１実施形態による給紙カートリッジの分解斜視図である。
【図６】本発明の第１実施形態による給紙カートリッジの用紙収納部材の平面図である。
【図７】本発明の第１実施形態による給紙カートリッジの用紙押上げ部材の平面図である。
【図８】本発明の第１実施形態による給紙カートリッジの用紙押上げ部材の平面図である。
【図９】本発明の第１実施形態による給紙カートリッジを昇華型プリンタに取り付けた状態における動作を説明するための断面図である。
【図１０】本発明の第１実施形態による給紙カートリッジの用紙押上げ部材と昇華型プリンタの給紙ローラとが当接する部分について説明するための平面図である。
【図１１】本発明の第１実施形態による給紙カートリッジの用紙押上げ部材と昇華型プリンタの給紙ローラとが当接する部分について説明するための拡大断面図である。
【図１２】本発明の第１実施形態による給紙カートリッジの用紙押上げ部材に載置された用紙を昇華型プリンタに給紙する動作を説明するための断面図である。
【図１３】本発明の第２実施形態による給紙カートリッジの用紙押上げ部材と昇華型プリンタの給紙ローラとが当接する部分について説明するための平面図である。
【図１４】本発明の第２実施形態による給紙カートリッジの用紙押上げ部材と昇華型プリンタの給紙ローラとが当接する部分について説明するための拡大断面図である。
【符号の説明】
【００５０】
１          給紙カートリッジ
２          用紙収納部材
４          用紙押上げ部材
４ａ        係合部
４ｂ        逃がし部
４ｄ        突起部
１０        昇華型プリンタ（画像形成装置）
１０ａ      用紙供給口
１３        給紙ローラ
２０        用紙
４０        用紙押上げ部材
４０ａ      係合部
４０ｂ      逃がし部
【図１】
2008169000.tif 000003
【図２】
2008169000.tif 000004
【図３】
2008169000.tif 000005
【図４】
2008169000.tif 000006
【図５】
2008169000.tif 000007
【図６】
2008169000.tif 000008
【図７】
2008169000.tif 000009
【図８】
2008169000.tif 000010
【図９】
2008169000.tif 000011
【図１０】
2008169000.tif 000012
【図１１】
2008169000.tif 000013
【図１２】
2008169000.tif 000014
【図１３】
2008169000.tif 000015
【図１４】
2008169000.tif 000016